(57)【要約】【課題】Ｗｅｂブラウザの環境設定変更方法に関し、接続されるネットワークの形態に応じて自動で環境設定を変更しうる方法及びプログラムの提供を目的とする。【解決手段】ＬＡＮ接続、ダイヤルアップ接続等に対応するＷｅｂブラウザの設定情報の入力しメモリに記憶する（Ｓ１）。状態監視部９は、コンテンツブラウザプログラムの起動状態を周期的に監視する。起動が確認されると、ネットワーク検出部１０にて現在接続されているネットワークの形態を検出し、この形態に対応するブラウザ設定情報をメモリから読み出し設定情報変更部１２に設定する。ブラウザが起動すると変更後の設定にて画像表示及び音声再生の動作が実行される。【選択図】      図２
2004265123.tif 000002
【特許請求の範囲】
【請求項１】
Ｗｅｂブラウザの画像表示及び音声再生を制御するＷｅｂブラウザ制御装置において、
種々のネットワーク接続形態に対応したＷｅｂブラウザの画像表示及び音声再生の設定情報を予め格納するメモリ手段と、現在接続されているネットワークの種別を検出し、前記Ｗｅｂブラウザの設定を前記検出されたネットワーク接続形態に対応する画像表示及び音声再生の設定情報に変更する設定情報変更部とを備えることを特徴とするＷｅｂブラウザ制御装置。
【請求項２】
Ｗｅｂブラウザの画像表示及び音声再生の設定の切り替えを制御する制御切替方法であって、
種々のネットワーク接続形態に対応したＷｅｂブラウザの画像表示及び音声再生の設定情報を予め格納し、現在接続されているネットワークの種別を検出し、前記Ｗｅｂブラウザの設定を前記検出されたネットワーク接続形態に対応する画像表示及び音声再生の設定情報に変更することを特徴とする制御切替方法。
【請求項３】
コンピュータに請求項２に記載される制御切替方法を実行させるためのプログラム。
【発明の詳細な説明】
【０００１】
【発明の属する技術分野】
本発明は、Ｗｅｂコンテンツを表示するブラウザの動作制御つまり表示制御及び、音声再生制御に関し、特にネットワークの接続形態によってこれら制御内容を変更する制御に関する。
【０００２】
【従来の技術】
従来、パーソナルコンピュータ等を含む情報端末でＷｅｂコンテンツを表示するブラウザ表示および音声再生制御は、図４に示すブロック構成をとっていた。
【０００３】
まず、ブラウザ制御設定情報部４にはＷｅｂコンテンツの動作制御として、アニメーション再生の有無、サウンド再生の有無、ビデオ再生の有無、画像表示の有無の情報が格納されている。
【０００４】
Ｗｅｂコンテンツを表現する際の動作は、まずコンテンツブラウザプログラム部１がブラウザ制御設定情報部４に格納されている上記情報を参照し、アニメーション再生の有無、音声再生の有無、ビデオ再生の有無、画像再生の有無を判断し、実行制御を判定する。
【０００５】
次にコンテンツブラウザプログラム部１はネットワーク制御部３を制御して表示すべきｈｔｍｌ形式のデータをネットワークプロトコル手順に基づいて入手する。
【０００６】
その後先に判別した実行制御に基づいてネットワーク制御部３を制御してアニメーション再生、音声再生、ビデオ再生、画像再生を実行する場合に必要なデータをアニメーション再生の場合はｇｉｆデータ等を、音声再生の場合はｗａｖ，ｍｐ３，ｍｐｅｇ，ａｖｉデータ等を、ビデオ再生の場合はｍｐｅｇ，ａｖｉデータ等を、画像再生の場合はｊｐｅｇ，ｂｍｐデータ等をネットワークよりネットワークプロトコルに基づいて取得し、その情報を取得データ（ａ）としてメモリ部７に蓄積する。
【０００７】
判定された実行制御内容を元にコンテンツブラウザプログラム部１はメモリ部７に蓄積されている取得データ（ａ）からアニメーション再生、ビデオ再生、画像再生に必要なデータを選択し、表示データ（ｂ）としてｇｉｆ，ｍｐｅｇ，ａｖｉ，ｊｐｅｇ，ｂｍｐデータ等を表示制御部５へ送出する。表示制御部５は表示データ（ｂ）を表示デバイスが表示できる形式（ＲＧＢデータ等）に変換し、表示デバイスを制御しアニメーション／ビデオ／画像表示を行う。
【０００８】
また、同様にメモリ部７に蓄積されている取得データ（ａ）から音声再生に必要なデータを選択し、音声データ（ｃ）としてｗａｖ，ｍｐ３，ｍｐｅｇ，ａｖｉデータ等を音声制御部６へを送出する。音声制御部６は音声再生デバイスが再生できる形式（ＰＣＭデータ等）に変換し、再生デバイスを制御し音声出力を行う。
【０００９】
上述の動作において、ユーザは使用している情報端末に接続されている回線の伝送速度に合わせて、適切なＷｅｂコンテンツの動作制御として、アニメーション再生の有無、サウンド再生の有無、ビデオ再生の有無、画像表示の有無の情報をブラウザ制御設定情報部４に設定する必要があった。
【００１０】
【発明が解決しようとする課題】
この従来技術では、ユーザが設定したＷｅｂコンテンツの動作制御方法でその制御を行っているため、デスクトップ形態のパーソナルコンピュータのように設置した場所でのみ使用される場合は、そこに接続されているネットワークの伝送速度に変化がないため有効であるが、情報携帯端末及びノート形態のパーソナルコンピュータのように、移動しての使用が想定される場合は、使用しているネットワークがＬＡＮ、電話回線、携帯電話回線と変化するため、そのネットワークの伝送速度によってＷｅｂコンテンツの動作制御方法を変更する必要があった。そのため、ユーザは、接続する回線の種別に応じてそのつど設定を変更する必要があった。
【００１１】
そこで、本発明の目的は、ネットワークの伝送速度が変化することが想定されるような情報端末の使用形態において、ユーザによるブラウザの設定変更を必要としないブラウザの設定変更方法及びこれを実行する管理ソフトウェアの提供にある。
【００１２】
【課題を解決するための手段】
請求項１記載の発明によれば、Ｗｅｂブラウザの画像表示及び音声再生を制御するＷｅｂブラウザ制御装置において、種々のネットワーク接続形態に対応したＷｅｂブラウザの画像表示及び音声再生の設定情報を予め格納するメモリ手段と、現在接続されているネットワークの種別を検出し、前記Ｗｅｂブラウザの設定を前記検出されたネットワーク接続形態に対応する画像表示及び音声再生の設定情報に変更する設定情報変更部とを備えることを特徴とするＷｅｂブラウザ制御装置を得ることができる。
【００１３】
請求項２記載の発明によれば、Ｗｅｂブラウザの画像表示及び音声再生の設定の切り替えを制御する制御切替方法であって、種々のネットワーク接続形態に対応したＷｅｂブラウザの画像表示及び音声再生の設定情報を予め格納し、現在接続されているネットワークの種別を検出し、前記Ｗｅｂブラウザの設定を前記検出されたネットワーク接続形態に対応する画像表示及び音声再生の設定情報に変更することを特徴とする制御切替方法を得ることができる。
【００１４】
請求項３記載の発明によれば、コンピュータに請求項２に記載される制御切替方法を実行させるためのプログラムを得ることができる。
【００１５】
【発明の実施の形態】
以下、図面を参照して、この発明の好適な実施の形態を例示的に説明する。ただし、この実施の形態に記載されている構成部品の寸法、材質、その相対配置などは、特に特定的な記載がない限りは、この発明の範囲をそれらのみに限定する趣旨のものではない。
【００１６】
図１は本発明の実施形態にかかるシステムの一構成例を示すブロック図である。本実施形態のシステムは、従来の構成の他、画像表示／音声制御切替部２を追加した構成を特徴とする。また、本実施形態では、ネットワークの接続形態として、ＬＡＮ接続、複数の設定が可能なダイヤルアップ接続を設定情報入力部８から入力し予めメモリに登録しておくものとする。更に、このこのダイヤルアップ接続の設定では、パーソナルコンピュータ及び情報端末に設定されているダイヤルアップ接続の名称を登録できるものとする。以上、本実施形態にかかるシステムは、コンテンツブラウザプログラム部１と、画像表示／音声制御切替部２と、ネットワーク制御部３と、ブラウザ制御設定情報部４と、表示制御部５と、音声制御部６と、メモリ部７と、設定情報入力部８にて構成されている。
【００１７】
図２は、画像表示／音声制御切替部２のブロック構成図であって、情報端末等の装置自体の状態を定期的に監視しコンテンツブラウザプログラム部１が実行されているか否かを判別する状態監視部９と、現在設定されているネットワークの種別を検出するネットワーク検出部１０と、上記各種接続形態（ＬＡＮ接続、ダイヤルアップ接続）とその時設定すべきＷｅｂコンテンツの動作制御（アニメーション再生の有無、サウンド再生の有無、ビデオ再生の有無、画像表示の有無）内容を「ＬＡＮ接続、アニメーション再生有、サウンド再生有、ビデオ再生有、画像表示有」のようにテーブルデータとして保持するネットワーク情報テーブル１３と、前記検出されたネットワーク種別に基づき前記ネットワーク情報テーブルを検索するネットワーク解析部１１と、解析の結果に基づきブラウザの設定を変更する設定情報変更部１２とから構成される。この制御システムにおいて、本発明の要素である画像表示／音声制御切替部２の動作は，ネットワークの接続形態に応じて上記ブラウザ制御設定情報部４に格納されているデータを書き換える事によってＷｅｂブラウザの画像系表示及び音声再生制御切替を実現する。
【００１８】
次に、図３に示すフローチャートを用いて画像表示／音声制御切替部２を用いたブラウザの設定変更動作について説明する。
【００１９】
まず、種々のネットワークの接続形態に対応できるように、設定情報入力部８からＬＡＮ接続やダイヤルアップ接続の情報等を入力する（ステップＳ１）。ダイヤルアップ接続には、ＩＳＤＮ電話回線に接続するもの（以下、ＩＳＤＮ接続という。）、ＰＳＴＮ電話回線に接続するもの（以下、ＰＳＴＮ接続という。）、及び携帯電話回線に接続するもの（以下、ＰＤＣ接続という。）が含まれる。続いて、これらの接続形態に対応したＷｅｂコンテンツの動作制御内容を入力する。例えば、ＬＡＮ接続の場合には、アニメーション再生有、サウンド再生有、ビデオ再生有、画像表示有とする。ＩＳＤＮ接続の場合には、アニメーション再生有、サウンド再生有、ビデオ再生無、画像表示有とする。ＰＳＴＮ接続の場合には、アニメーション再生無、サウンド再生有、ビデオ再生無、画像表示有とする。また、ＰＤＣ接続の場合には、アニメーション再生無、サウンド再生無、ビデオ再生無、画像表示無とする。これらＷｅｂコンテンツの動作制御情報を上記接続形態に対応させ、制御設定情報（ｄ）として、ネットワーク情報テーブル１３に登録される。
【００２０】
次に状態監視部９は、装置の状態を定期的に監視し、コンテンツプログラム部１が実行されているか否かを判別する（ステップＳ２）。その結果、コンテンツプログラム部１が実行されていると判断した場合は、状態変更情報（ｅ）をネットワーク検出部１０に通知する（ステップＳ３）。
【００２１】
ネットワーク検出部１０は、状態変更情報（ｅ）の通知を受けるとネットワーク制御部３より現在設定されているネットワーク接続を検出する（ステップＳ４）。その結果、ＬＡＮ接続の場合は、ＬＡＮ接続であるという情報を接続ネットワーク情報（ｆ）としてネットワーク解析部１１に通知する（ステップＳ５）。ＬＡＮ接続でないと判断した場合は選択されているダイヤルアップ接続の名称を判断し、選択されているダイヤルアップ接続名称情報を接続ネットワーク情報（ｆ）としてネットワーク解析部１１に通知する（ステップＳ５）。この接続ネットワーク情報（ｆ）にはＬＡＮ接続，ＩＳＤＮ接続，ＰＳＴＮ接続，ＰＨＳ接続，ＰＤＣ接続が通知される。
【００２２】
ネットワーク解析部１１は、通知された接続ネットワーク情報（ｆ）とネットワーク接続テーブルに蓄積されている各種接続形態の設定内容とを比較する（ステップＳ６）。一致した場合は、接続ネットワーク情報（ｆ）に対応するＷｅｂコンテンツの設定内容（アニメーション再生の有無、サウンド再生の有無、ビデオ再生の有無、画像表示の有無）を変更情報（ｇ）として設定情報変更部１２に通知する（ステップＳ７）。つまり、ＬＡＮ接続の場合はアニメーション再生有，サウンド再生有，ビデオ再生有，画像表示有、ＩＳＤＮ接続の場合はアニメーション再生有，サウンド再生有，ビデオ再生無，画像表示有、ＰＳＴＮ接続の場合はアニメーション再生無，サウンド再生有，ビデオ再生無，画像表示有、ＰＤＣ接続の場合はアニメーション再生無，サウンド再生無，ビデオ再生無，画像表示無と変更情報（ｇ）で通知する。
【００２３】
設定情報変更部１２は、通知された変更情報（ｇ）を基にブラウザ制御設定情報部４の設定内容（アニメーション再生の有無、サウンド再生の有無、ビデオ再生の有無、画像表示の有無の情報）を書き換える（ステップＳ８）。
【００２４】
これにより、各種ネットワーク接続形態に合わせて設定した内容が接続されたネットワークに応じて切り替わることが可能となる。
【００２５】
なお、その他コンテンツブラウザプログラム部１による表示制御、音声制御等については従来技術と同じため説明については省略する。
【００２６】
【発明の効果】
以上説明したように、本発明によれば、今まで手動で切替を行っていたＷｅｂコンテンツを表現するブラウザ表示および音声再生制御が接続されているネットワーク接続形態の変化に対応し、接続されているネットワークに適したＷｅｂコンテンツを表現するブラウザ表示および音声再生制御へ自動的に変更されるため、接続するネットワーク接続形態が変化する使用形態においてブラウザの操作性を向上する効果がある。
【図面の簡単な説明】
【図１】本発明の実施形態に係るブロック図である。
【図２】本発明の実施形態に係る画像表示／音声制御切替部のブロック図である。
【図３】本実施形態の動作を説明するフローチャート図である。
【図４】従来の全体システム構成ブロック図
【符号の説明】
１  コンテンツブラウザプログラム部
２  画像表示／音声制御切替部
３  ネットワーク制御部
４  ブラウザ制御設定情報部
５  表示制御部
６  音声制御部
７  メモリ部
８  設定情報入力部
９  状態監視部
１０  ネットワーク検出部
１１  ネットワーク解析部
１２  設定情報変更部
１３  ネットワーク情報テーブル
（ａ）  取得データ
（ｂ）  表示データ
（ｃ）  音声データ
（ｄ）  制御設定情報
（ｅ）  状態変更情報
（ｆ）  接続ネットワーク情報
（ｇ）  変更情報
【図１】
2004265123.tif 000003
【図２】
2004265123.tif 000004
【図３】
2004265123.tif 000005
【図４】
2004265123.tif 000006